(57)【特許請求の範囲】
【請求項１】
キャビネット本体、
該キャビネット本体に対して前後方向に進退し、前板の下端部が底板よりも下側へ突出している抽斗、及び、
前記キャビネット本体に退入した状態の抽斗の前板の後面下端部と前記キャビネット本体との隙間を閉塞するパッキン
を備えるキャビネットにおいて、
前記パッキンは前記抽斗に取り付けられており、
前記前板よりも薄い板状をなし、前記後面下端部を覆う被覆部と、
前記抽斗が前記キャビネット本体に退入した場合に前記キャビネット本体に接触する接触部と、
前記前板よりも薄い板状をなし、前記被覆部の下端部以外に前記被覆部に交差する向きに突設され、前記接触部を支持する支持部と
を有し、
前記パッキンは、前記前板に係止する３つの係止部を更に有し、
該３つの係止部は、前記被覆部の下端部及び左右両端部から前側に突出した突片状をなし、前記前板の下端面及び左右両端面に係止し、
前記被覆部と前記３つの係止部の内の前記被覆部の下端部に設けられている係止部との境界部分が前記前板の後面と下端面との角部を覆っていることを特徴とするキャビネット。
【請求項２】
前記パッキンは下向きのチャンネル状をなし、
前記支持部は、前記被覆部の上端部に後ろ向きに突設されており、
前記接触部は弾性を有する舌片状をなし、
前記接触部の上端部が、前記支持部の後端部に支持されており、
前記接触部の少なくとも下端部が、前側から前記キャビネット本体に接触し、
前記接触部は、
前記キャビネット本体に接触していない場合、下端側が上端側よりも後側に位置しており、
前記キャビネット本体に接触している場合、少なくとも前記下端部が前側に弾性変形していることを特徴とする請求項１に記載のキャビネット。
【請求項３】
前記被覆部及び支持部は前記接触部よりも剛性が高いことを特徴とする請求項１又は２に記載のキャビネット。
【発明の詳細な説明】
【技術分野】
【０００１】
本発明は、パッキンが隙間を閉塞する構成のキャビネットに関する。
【背景技術】
【０００２】
キャビネットは、キャビネット本体と抽斗とを備える。抽斗は、キャビネット本体に対して前後方向に進退する。
抽斗がキャビネット本体に完全に退入しても、抽斗とキャビネット本体との間には隙間（以下、キャビネットの隙間という）が生じ得る。故に、キャビネットの隙間を閉塞するパッキンがキャビネット本体に配されている。この結果、害虫がキャビネットの隙間を通ってキャビネット内部へ侵入することが抑制される（特許文献１参照）。
【０００３】
特許文献１に記載のキャビネットは、上下２段の抽斗を備えている。上側の抽斗は取っ手を有しているが、下側の抽斗は取っ手を有していない。
下側の抽斗は蹴込付き抽斗であり、上部前板と、蹴込を構成する下部前板とを有する。上部前板の下端部は下向きに突出している。使用者は、蹴込の手前側の空間（以下、蹴込空間という）に手を入れて、上部前板の後面下端部に手を掛け、蹴込付き抽斗を引き出す。
【０００４】
特許文献１に記載のキャビネットの場合、キャビネットの隙間（具体的には下部前板とキャビネット本体の底部材との隙間）を、キャビネット本体に配されたパッキンが閉塞する。このパッキンは、底部材に取り付けられている取付部（文中「固着片」）と、取付部に支持されている接触部（文中「立ち上がり片」）とを有する。接触部は、抽斗の進退に伴って抽斗に対し相対的に接離する。抽斗がキャビネット本体に退入した場合、接触部は下部前板に接触する。このとき、キャビネットの隙間が閉鎖される。
【先行技術文献】
【特許文献】
【０００５】
【特許文献１】特開２００８−７３２６９号公報
【発明の概要】
【発明が解決しようとする課題】
【０００６】
特許文献１に記載のキャビネットにおいて、下側の抽斗が蹴込付き抽斗ではない場合、前板の下端部を底板よりも下側へ突出させておくことが考えられる。使用者は蹴込空間に手を入れて、前板の後面下端部に手を掛け、蹴込付き抽斗を引き出す。
上側の抽斗が取っ手を備えていない場合、前板の下端部を底板よりも下側へ突出させ、且つ、前板の後面下端部とキャビネット本体との間に、使用者の手が進入可能な空間（以下、進入空間という）を設けておくことが考えられる。使用者は進入空間に手を入れて、前板の後面下端部に手を掛け、抽斗を引き出す。
【０００７】
以上のような場合、前板の後面下端部は、キャビネット本体から抽斗を引き出す際の手掛け部として機能する。
前板の下端部とキャビネット本体との隙間は、パッキンで閉鎖する必要がある。しかしながら、特許文献１には、下側の抽斗が蹴込付き抽斗ではない場合、及び、上側の抽斗が取っ手を備えていない場合におけるパッキンは記載されていない。
【０００８】
ところで、前板の下端部は、形状又は材質等が原因で、使用者が直接的に手で触れるのに適していない場合がある。この場合、使用者の手を保護するために、前板の後面下端部を被覆する被覆部材を抽斗に追加する必要がある。
また、蹴込空間又は進入空間の上方には抽斗の底板がある。底板には、抽斗を進退させるためのレールのような金属部材が配されている場合がある。この場合、使用者の手と底板若しくは金属部材との接触を防止するために、蹴込空間又は進入空間の上部を閉鎖する閉鎖部材を抽斗に追加する必要がある。
【０００９】
被覆部材及び閉鎖部材を抽斗に追加した場合、キャビネットの部品点数が増加するという問題が生じる。
一方、キャビネットの部品点数を抑えるために、被覆部材、閉鎖部材、又はパッキンを省けば、使用者の安全性又はキャビネットの防虫性が損なわれる。
【００１０】
本発明は斯かる事情に鑑みてなされたものであり、その主たる目的は、部品点数の増加を招くことなく防虫性及び安全性を向上させたキャビネットを提供することにある。
【課題を解決するための手段】
【００１１】
本発明に係るキャビネットは、キャビネット本体、該キャビネット本体に対して前後方向に進退し、前板の下端部が底板よりも下側へ突出している抽斗、及び、前記キャビネット本体に退入した状態の抽斗の前板の後面下端部と前記キャビネット本体との隙間を閉塞するパッキンを備えるキャビネットにおいて、前記パッキンは前記抽斗に取り付けられており、前記前板よりも薄い板状をなし、前記後面下端部を覆う被覆部と、前記抽斗が前記キャビネット本体に退入した場合に前記キャビネット本体に接触する接触部と、前記前板よりも薄い板状をなし、前記被覆部の下端部以外に前記被覆部に交差する向きに突設され、前記接触部を支持する支持部とを有し、前記パッキンは、前記前板に係止する３つの係止部を更に有し、該３つの係止部は、前記被覆部の下端部及び左右両端部から前側に突出した突片状をなし、前記前板の下端面及び左右両端面に係止し、前記被覆部と前記３つの係止部の内の前記被覆部の下端部に設けられている係止部との境界部分が前記前板の後面と下端面との角部を覆っていることを特徴とする。
【００１２】
本発明に係るキャビネットは、前記パッキンは下向きのチャンネル状をなし、前記支持部は、前記被覆部の上端部に後ろ向きに突設されており、前記接触部は弾性を有する舌片状をなし、前記接触部の上端部が、前記支持部の後端部に支持されており、前記接触部の少なくとも下端部が、前側から前記キャビネット本体に接触し、前記接触部は、前記キャビネット本体に接触していない場合、下端側が上端側よりも後側に位置しており、前記キャビネット本体に接触している場合、少なくとも前記下端部が前側に弾性変形していることを特徴とする。
【００１３】
本発明に係るキャビネットは、前記被覆部及び支持部は前記接触部よりも剛性が高いことを特徴とする。
【００１６】
本発明にあっては、パッキンが被覆部と接触部と支持部とを有する。
キャビネット本体から抽斗を引き出す際の手掛け部として、前板の後面下端部を用いた場合、前板の後面下端部に直接的に手が触れることはない。何故ならば、前板の後面下端部は薄板状の被覆部に覆われているからである。
【００１７】
支持部は被覆部の下端部以外に突設されている。被覆部と支持部とに囲まれ、且つ下向きに開放されている空間は、進入空間として機能する。このとき、進入空間の上部を薄板状の支持部が閉鎖するので、進入空間に進入した使用者の手が、底板又は底板に取り付けられている部材に触れることはない。
つまり、被覆部及び支持部は、抽斗及び抽斗に取り付けられている部材から、使用者の手を保護する。
【００１８】
抽斗に取り付けられているパッキンは、抽斗の進退に伴ってキャビネット本体に接離する。抽斗がキャビネット本体に退入した場合、接触部はキャビネット本体に接触する。このとき、パッキンはキャビネットの隙間を閉塞する。
【００１９】
本発明にあっては、パッキンが下向きのチャンネル状であるので、チャンネルの内部の空間が進入空間として機能する。
舌片状の接触部は、抽斗の退入に伴い、接触部の最下端から上端側に向けてキャビネット本体に接触していく。つまり、接触部は、弾性を有する上に、キャビネット本体に一気に接触せず徐々に接触する。故に、接触部とキャビネット本体との接触の衝撃が和らぐ。
【００２０】
抽斗がキャビネット本体に退入した場合、接触部の少なくとも下端部がキャビネット本体に前側から接触する。このとき、接触部の少なくとも下端部が前側に弾性変形するので、後側（即ちキャビネット本体側）に向けた弾性復元力が接触部に生じる。従って、接触部とキャビネット本体との密着性が向上する。
【００２１】
本発明にあっては、被覆部及び支持部の剛性が接触部よりも高いので、被覆部及び支持部の保形性が高い。
保形性が高い支持部は、パッキンに外力が加えらえた場合であっても無用に変形することがないので、進入空間の上部を閉鎖する機能が損なわれることはない。
また、保形性が高い被覆部及び支持部に囲繞されている進入空間は、パッキンに外力が加えらえた場合であっても無用に変形することがないので、使用者の手が進入空間に挿入不可能になることはない。
【００２２】
本発明にあっては、係止部が前板に係止するので、前板にパッキンを取り付けるときの位置決めが容易である。
【００２３】
本発明にあっては、被覆部と係止部との境界部分が、前板の後面と下端面との角部を覆うので、この角部に使用者の手が直接的に触れる虞がない。つまり、抽斗を引き出す使用者の手が、より確実に保護される。
【発明の効果】
【００２４】
本発明のキャビネットによる場合、キャビネットの隙間を閉塞するパッキンが、前板の後面下端部を被覆し、また、進入空間の上部を閉鎖することによって、抽斗を引き出す使用者の手を保護する。
従って、本発明のキャビネットは、キャビネットの隙間を閉塞するためだけのパッキン（即ち従来のパッキン）と、前板の後面下端部を被覆する被覆部材と、進入空間の上部を閉鎖する閉鎖部材とを、個別に備えている必要がない。
つまり、本発明のキャビネットが備えるパッキンは、キャビネットの部品点数の増加を招くことなく、防虫性及び安全性を向上させることができる。
【図面の簡単な説明】
【００２５】
【図１】本発明の実施の形態に係るキャビネットが備えるキャビネット本体の内部を略示する側面図である。
【図２】キャビネットが備えるパッキンの構成を略示する側面図である。
【図３】キャビネットが備えるパッキンの構成を略示する斜視図である。
【図４】キャビネットが備える最上段の抽斗がキャビネット本体に退入した場合のパッキンの形状を示す断面図である。
【図５】キャビネットが備える最下段の抽斗がキャビネット本体に退入した場合のパッキンの形状を示す断面図である。
【図６】最上段の抽斗がキャビネット本体から進出している場合のパッキンの形状を示す断面図である。
【図７】最下段の抽斗がキャビネット本体から進出している場合のパッキンの形状を示す断面図である。
【発明を実施するための形態】
【００２６】
以下、本発明を、その実施の形態を示す図面に基づいて詳述する。以下の説明では、図において矢符で示す上下、前後、及び左右を使用する。
【００２７】
図１は、本発明の実施の形態に係るキャビネット１が備えるキャビネット本体２の内部を略示する側面図である。
図２及び図３は、キャビネット１が備えるパッキン４の構成を略示する側面図及び斜視図である。
図４及び図５は、キャビネット１が備える最上段及び最下段の抽斗３１，３３がキャビネット本体２に退入した場合のパッキン４，４の形状を示す断面図である。
図６及び図７は、抽斗３１，３３がキャビネット本体２から進出している場合のパッキン４，４の形状を示す断面図である。
【００２８】
キャビネット１は、例えば台所の床Ｆに載置されている。
キャビネット１は、キャビネット本体２の他に、上下３段の抽斗３１〜３３と２個のパッキン４，４と６本のスライドレール１１，１１，…及びパッキン１２とを備えている。
【００２９】
まず、キャビネット１の各部について説明する。
キャビネット本体２は、前部が開放されている中空の直方体状をなし、天壁２１、底壁２２、後壁２３、側壁２４，２４、蹴込板２５、及び空間形成部材２６を有する。
図１において、キャビネット本体２は右側の側壁２４が省略された状態が示されている。また、図１には、キャビネット本体２に抽斗３１〜３３が退入した状態が示されている。
【００３０】
底壁２２は、床Ｆの上方に配されている。底壁２２は、各横姿勢の矩形平板状の前側底壁２２１及び後側底壁２２２と、縦姿勢の矩形平板状の閉塞壁２２３とを有する。
前側底壁２２１は床Ｆに近い位置に配され、後側底壁２２２は床Ｆから遠い位置に配されている。閉塞壁２２３は前側底壁２２１の後辺部（後端部）と後側底壁２２２の前辺部（前端部）とは上下方向に適長離隔して対向配置されている。閉塞壁２２３は、前側底壁２２１の後辺部と後側底壁２２２の前辺部との間を閉塞している。後側底壁２２２と床Ｆとの間には、図示しない上下水道管及びガス管等が配されている。
【００３１】
側壁２４は、下側壁２４１及び上側壁２４２を有する。
下側壁２４１は、縦姿勢の矩形平板状である。ただし、下側壁２４１には、矩形平板の前上隅部が切り欠かれたような切り欠き状部２４３が設けられている（図４参照）。切り欠き状部２４３はＬ字状の周縁部を有し、周縁部の後下隅部は弧状をなしている。
上側壁２４２は、下側壁２４１の上側に接触配置された縦姿勢の矩形平板状である。上側壁２４２の前後方向の長さは下側壁２４１の前後方向の長さと同程度である。従って、下側壁２４１と上側壁２４２との境界部分の前端部には、コ字状の周縁部を有する空間が形成されている。上側壁２４２の上下方向の長さは下側壁２４１の上下方向の長さの約３倍である。
【００３２】
蹴込板２５は縦姿勢の矩形平板状である。蹴込板２５は、底壁２２の前側底壁２２１の前辺部と床Ｆとの間を閉塞している。蹴込板２５の上端面と前側底壁２２１の上面とは面一である。
【００３３】
空間形成部材２６は、長さ方向が左右方向である横姿勢のアングル状部材であり、縦板部２６１及び横板部２６２を有する（図４参照）。横板部２６２は、縦板部２６１の下端部から前向きに突出している。空間形成部材２６におけるアングルの屈曲部（即ち縦板部２６１及び横板部２６２の境界部）は断面弧状の曲面状をなしている。
空間形成部材２６は、左右両側の側壁２４，２４の切り欠き状部２４３，２４３に亘って配されている。このとき、縦板部２６１及び横板部２６２の左端部は、左側の切り欠き状部２４３に沿って配されている。同様に、縦板部２６１及び横板部２６２の右端部は、右側の切り欠き状部２４３に沿って配されている。
【００３４】
各側壁２４には、３本のスライドレール１１，１１，…が上下方向に適長離隔して並設されている。左右両側の側壁２４，２４に配されている最上段（又は最下段、若しくは中段）のスライドレール１１，１１は、互いに同じ高さに位置している。最上段のスライドレール１１は上側壁２４２に配されており、最下段及び中段のスライドレール１１，１１夫々は、下側壁２４１に配されている。
各スライドレール１１は、側壁２４に固定されている前後方向の固定レールと、固定レールに沿って摺動する摺動レールとを備えている。
【００３５】
抽斗３１〜３３は、この順に上段から下段へ配されている。キャビネット本体２に対する抽斗３１〜３３夫々の進退方向は前後方向であり、進退方向の進出側／退入側が前側／後側である。
抽斗３１〜３３は、何れも取っ手を備えていない。
【００３６】
抽斗３１，３３は同様の構成であり、夫々前板３ａ、底板３ｂ、先板３ｃ、端板３ｄ，３ｄ、ギャラリーバー３ｅ，３ｅを有する。前板３ａ、先板３ｃ、及び端板３ｄ，３ｄ夫々は縦姿勢の矩形平板状であり、底板３ｂは横姿勢の矩形平板状である。
前板３ａの下辺部（下端部）は、底板３ｂよりも下方へ突出している。
抽斗３１の前板３ａの下辺部の高さ（床Ｆからの上下方向の距離）は、空間形成部材２６の最上端の高さと同程度である。
抽斗３３の前板３ａの下辺部の高さは、蹴込板２５の上端面の高さより下側である。ただし、抽斗３３の前板３ａの下辺部は床Ｆから離隔している。
【００３７】
抽斗３１（及び抽斗３３）がキャビネット本体２に退入した場合、底板３ｂは、底壁２２の前側底壁２２１及び蹴込板２５の上方に配される。
抽斗３１（及び抽斗３３）の端板３ｄ，３ｄには、最上段（及び最下段）の左右両側のスライドレール１１，１１の摺動レールが取り付けられている。
【００３８】
キャビネット本体２に退入した状態の抽斗３１の前板３ａの下辺部と空間形成部材２６との間には、防虫のために閉塞すべき第１の隙間がある。キャビネット本体２に退入した状態の抽斗３３の前板３ａの下辺部と蹴込板２５との間には、防虫のために閉塞すべき第２の隙間がある。第１及び第２の隙間は、パッキン４，４によって閉塞されている。
【００３９】
次に、図１〜図７を参照しつつ、パッキン４について説明する。図６及び図７には、抽斗３１，３３及びパッキン４，４とキャビネット本体２との位置関係が分かりやすいように、キャビネット本体２が二点鎖線で示してある。
抽斗３１，３３のパッキン４，４は、同様の構成である。各パッキン４は下向きのチャンネル状であり、チャンネルの長さ方向が左右方向である。パッキン４は、下向きのチャンネルの前壁部、上壁部、及び後壁部に相当する被覆部４１、支持部４２、及び接触部４３を有する。また、パッキン４は、係止部４４〜４６を有する。
パッキン４の接触部４３以外は、例えば合成樹脂を用いて成形された一体物の部材であり、接触部４３よりも剛性が高い。
【００４０】
被覆部４１は、縦姿勢の矩形平板状であり、長辺方向が左右方向である。被覆部４１の厚み前板３ａの厚みより薄い。被覆部４１の左右方向の長さは、前板３ａの左右方向の長さと同程度である。被覆部４１は、前板３ａの後面下辺部を覆う。
被覆部４１は、両面テープ、タッカー、釘、ビス、及び接着剤等の内の１又は複数を用いて、前板３ａに固定してある。即ち、被覆部４１は、前板３ａに取り付けられている取付部としての機能も有する。
【００４１】
支持部４２は、横姿勢の矩形平板状であり、長辺方向が左右方向である。支持部４２の左右方向の長さは、被覆部４１の左右方向の長さと同程度である。
支持部４２は、被覆部４１の上辺部（上端部）に後ろ向きに突設してあり、支持部４２の前辺部と被覆部４１の上辺部とは一体である。また、支持部４２は、底板３ｂに対面する。
支持部４２は、接触部４３を支持する。
【００４２】
接触部４３は例えばエラストマを用いてなり、弾性を有する。
接触部４３は湾曲舌片状であり、床Ｆ及びキャビネット本体２の後壁２３夫々に対する投影形状が矩形状である。接触部４３の長辺方向は左右方向である。接触部４３の左右方向の長さは、支持部４２の左右方向の長さと同程度である。接触部４３は長辺方向に直線状であり、短辺方向に弧状に湾曲している。接触部４３の短辺方向の一辺部（及び他辺部）は上辺部（及び下辺部）である。
【００４３】
接触部４３の上辺部は、支持部４２の後辺部に支持されている。また、接触部４３の下辺部の前後方向の位置は、支持部４２の後辺部の前後方向の位置よりも後側である。即ち、接触部４３は、支持部４２の後辺部から下向きに斜め後側へ突出している。
接触部４３は、凸面側が前下側に（凹面側が後上側に）向いている。
パッキン４の防虫性を向上させるために、接触部４３には、例えば虫忌避剤を用いた表面処理加工が施されている。
【００４４】
係止部４４は、被覆部４１の下辺部から前側に突出している矩形突片状であり、長辺方向／短辺方向が左右方向／前後方向である。係止部４４の左右方向の長さは、被覆部４１の左右方向の長さと同程度である。係止部４４の前後方向の長さは、前板３ａの厚みよりも短い。
係止部４４は、前板３ａの下端面に係止している。被覆部４１と係止部４４との境界部分（即ち被覆部４１の下辺部且つ係止部４４の後辺部）は、前板３ａの後面と下端面との角部を覆っている。
【００４５】
係止部４５は、被覆部４１の左辺部（左端部）から前側に突出している矩形状突片状であり、長辺方向／短辺方向が上下方向／前後方向である。係止部４５の上下方向の長さは、被覆部４１の上下方向の長さ以下である。係止部４５の前後方向の長さは、前板３ａの厚みよりも短い。
係止部４５は、前板３ａの左端面に係止している。
係止部４６は、係止部４５と略同様の構成である。係止部４５，４６の差異は、係止部４６が、被覆部４１の右辺部（右端部）から前側に突出しており、前板３ａの右端面に係止している点である。
被覆部４１、支持部４２、及び係止部４４〜４６夫々の厚みは同程度である。
【００４６】
抽斗３２は、前板３２ａ、底板３２ｂ、及び端板３２ｃ，３２ｃ等を有する。端板３２ｃ，３２ｃには、中段の左右両側のスライドレール１１，１１の摺動レールが取り付けられている。
抽斗３２がキャビネット本体２に退入した場合、底板３２ｂは、底壁２２の前側底壁２２１及び蹴込板２５の上方に配される。
【００４７】
抽斗３２の前板３２ａの上辺部は、空間形成部材２６の最下部よりも上方に突出している。ただし、抽斗３２の前板３２ａの上辺部は、空間形成部材２６の最上部よりも下方に位置している。
抽斗３２，３３がキャビネット本体２に退入した場合、抽斗３２の前板３２ａの下辺部と抽斗３３の前板３ａの上辺部とは接近配置される。
【００４８】
抽斗３２がキャビネット本体２に退入した場合、キャビネット１には、抽斗３２の前板３２ａの上辺部と空間形成部材２６とに囲繞された空間が形成される。この空間は、使用者が抽斗３２をキャビネット本体２から引き出すための進入空間Ｓ１として機能する。
前板３２ａの後面上辺部は、使用者がキャビネット本体２から抽斗３２を引き出す際の手掛け部として機能する。
抽斗３２がキャビネット本体２に退入している場合、キャビネット１の使用者は、前板３２ａの上方から進入空間Ｓ１に手を入れて、前板３２ａの後面下辺部に手を掛け、抽斗３２を引き出す。
【００４９】
キャビネット本体２に退入した状態の抽斗３２の前板３２ａの上辺部と空間形成部材２６との間には、防虫のために閉塞すべき第３の隙間がある。第３の隙間は、パッキン１２によって閉塞されている。
【００５０】
パッキン１２は、前板３２ａの後面上辺部に取り付けられている取付部１２１と、取付部１２１に支持されている接触部１２２とを有する。接触部１２２は、抽斗３２の進退に伴って空間形成部材２６に接離する。接触部１２２は弾性を有しており、抽斗３２がキャビネット本体２に退入した場合に空間形成部材２６に接触する。
【００５１】
次に、抽斗３１，３３の進退と、パッキン４，４による第１及び第２の隙間の閉塞について説明する。
抽斗３１，３３がキャビネット本体２から進出している場合（図６及び図７参照）、各パッキン４は上述したような形状を有しているが（図２及び図３参照）、抽斗３１，３３がキャビネット本体２に没入している場合（図４及び図５参照）、各パッキン４は後述するように弾性変形している。
【００５２】
まず、抽斗３１の進退と、パッキン４による第１の隙間の閉塞について説明する。
前述したように、第１の隙間は、キャビネット本体２に退入した状態の抽斗３１の前板３ａの下辺部と空間形成部材２６との隙間である。
抽斗３１の前板３ａに取り付けられているパッキン４は、抽斗３１の進退に伴ってキャビネット本体２に接離する。このとき、パッキン４の接触部４３の下辺部が、キャビネット本体２の空間形成部材２６の縦板部２６１の上端部に接離する。
【００５３】
使用者は、キャビネット本体２から進出している抽斗３１（図６参照）をキャビネット本体２に退入させる。このために、使用者は、抽斗３１に後ろ向きの外力を与える。
抽斗３１に後ろ向きの外力が加えられると、抽斗３１がキャビネット本体２への退入を開始する。このとき、接触部４３の下辺部は、前側から空間形成部材２６に接近する。
【００５４】
抽斗３１の退入に伴い、接触部４３は、最下端から上端側に向けて空間形成部材２６に接触していく。つまり、接触部４３は、弾性を有する上に、空間形成部材２６に一気に接触せず徐々に接触する。故に、接触部４３と空間形成部材２６との接触の衝撃が和らぐ。この結果、接触時の衝撃によって異音が発生することが抑制され、接触時の衝撃によってパッキン４又はキャビネット本体２が損傷することが抑制される。
【００５５】
抽斗３１がキャビネット本体２に退入した場合（図４参照）、接触部４３は前側から空間形成部材２６に接触する。このとき、接触部４３は少なくとも下辺部が前側に弾性変形する。故に、接触部４３には後側に向けた弾性復元力が生じる。従って、接触部４３と空間形成部材２６との密着性が向上する。
接触部４３と空間形成部材２６との接触により、パッキン４は第１の隙間を閉塞する。
【００５６】
抽斗３１の前板３ａの後面下辺部は、使用者がキャビネット本体２から抽斗３１を引き出す際の手掛け部として機能する。
抽斗３１に取り付けられたパッキン４に囲繞されている空間は、使用者が抽斗３１をキャビネット本体２から引き出すための進入空間Ｓ２として機能する。進入空間Ｓ２と抽斗３１の底板３ｂとの間には、パッキン４の支持部４２がある。つまり、進入空間Ｓ２の上部は、パッキン４によって閉鎖されている。従って、進入空間Ｓ２に進入した使用者の手が、抽斗３１の底板３ｂ（又は底板３ｂに取り付けられている不図示の部材）に触れることはない。
【００５７】
使用者は、前板３ａの下方から進入空間Ｓ２に手を入れて、前板３ａの後面下辺部に手を掛け、抽斗３１を引き出す。このとき、使用者の手が前板３ａの後面下辺部及び前板３ａの後面と下端面との角部に直接的に触れることはない。何故ならば、抽斗３１の前板３ａの後面下辺部及び前板３ａの後面と下端面との角部はパッキン４に覆われているからである。
【００５８】
次に、抽斗３３の進退と、パッキン４による第２の隙間の閉塞について説明する。前述したように、第２の隙間は、キャビネット本体２に退入した状態の抽斗３３の前板３ａの下辺部と蹴込板２５との隙間である。
抽斗３３の前板３ａに取り付けられているパッキン４は、抽斗３３の進退に伴ってキャビネット本体２に接離する。このとき、パッキン４の接触部４３の上辺部以外（即ち下辺部から上下方向中央部に亘る部分）が、キャビネット本体２の蹴込板２５の上端部に接離する。
【００５９】
使用者は、キャビネット本体２から進出している抽斗３３（図７参照）をキャビネット本体２に退入させる。このために、使用者は、抽斗３３に後ろ向きの外力を与える。
抽斗３３に後ろ向きの外力が加えられると、抽斗３３がキャビネット本体２への退入を開始する。このとき、接触部４３は、前側から蹴込板２５に接近する。
【００６０】
抽斗３３の退入に伴い、接触部４３は、最下端から上端側に向けて蹴込板２５に接触していく。つまり、接触部４３は、弾性を有する上に、蹴込板２５に一気に接触せず徐々に接触する。故に、接触部４３と蹴込板２５との接触の衝撃が和らぐ。この結果、接触時の衝撃によって異音が発生することが抑制され、接触時の衝撃によってパッキン４又はキャビネット本体２が損傷することが抑制される。
【００６１】
抽斗３３がキャビネット本体２に退入した場合（図５参照）、接触部４３は前側から蹴込板２５に接触する。このとき、接触部４３は前側に弾性変形する。故に、接触部４３には後側に向けた弾性復元力が生じる。従って、接触部４３と蹴込板２５との密着性が向上する。
接触部４３と蹴込板２５との接触により、パッキン４は第２の隙間を閉塞する。
【００６２】
抽斗３３の前板３ａの後面下辺部は、使用者がキャビネット本体２から抽斗３３を引き出す際の手掛け部として機能する。
抽斗３３に取り付けられたパッキン４に囲繞されている空間は、使用者が抽斗３３をキャビネット本体２から引き出すための進入空間Ｓ３として機能する。進入空間Ｓ３と抽斗３３の底板３ｂとの間には、パッキン４の支持部４２がある。つまり、進入空間Ｓ３の上部は、パッキン４によって閉鎖されている。従って、進入空間Ｓ３に進入した使用者の手が、底板３ｂに触れることはない。
【００６３】
使用者は、前板３ａの下方から進入空間Ｓ３に手を入れて、前板３ａの後面下辺部に手を掛け、抽斗３３を引き出す。このとき、使用者の手が前板３ａの後面下辺部及び前板３ａの後面と下端面との角部に直接的に触れることはない。何故ならば、抽斗３３の前板３ａの後面下辺部及び前板３ａの後面と下端面との角部はパッキン４に覆われているからである。
【００６４】
以上のように、パッキン４，４は、第１及び第２の隙間を閉塞する機能と、抽斗３１，３３から使用者の手を保護する機能と有する。更に、パッキン４，４は、抽斗３１，３３退入時の衝撃を緩和する機能を有する。
なお、各パッキン４は、防虫性及び安全性を損なわない範囲であれば、パンチングボード状、網状、又は多孔質部材状等の被覆部４１〜接触部４３を有している構成でもよい。また、被覆部４１の後面に、使用者が手を掛けたときの滑り止めとなる滑り止め部が設けられていもよい。
【００６５】
次に、抽斗３１，３３に対するパッキン４，４の取り付けについて説明する。
キャビネット１の製造者は、被覆部４１を前側且つ支持部４２より下側に向け、接触部４３を後側且つ支持部４２より下側に向けて、パッキン４を持つ。次に、製造者は、係止部４４〜４６を前板３ａの下端面及び左右両端面に係止させつつ、前板３ａの後面下辺部に被覆部４１を後側から接触させる。この結果、パッキン４は容易に位置決めされる。最後に、製造者は、被覆部４１を前板３ａに固定する。
【００６６】
以上のようなキャビネット１は、抽斗３１〜３３に取っ手が存在しないので、意匠性が向上している。
また、キャビネット１は、キャビネット１の隙間を閉塞するためだけのパッキン（即ち従来のパッキン）と、前板３ａの後面下辺部を被覆する被覆部材と、進入空間の上部を閉鎖する閉鎖部材とを、個別に備えている必要がない。つまり、パッキン４は、キャビネット１の部品点数の増加を招くことなく、防虫性及び安全性を向上させることができる。
特に、本実施の形態においては、第１及び第２の隙間を閉塞するためのパッキン４，４が共通化されているので、これらが異なる場合に比べて、部品点数が更に減少している。
【００６７】
パッキン４はパッキン１２に比べて大型であり、支持部４２を有している分だけ、前板３ａから後側に突出している範囲が広い。しかしながら、パッキン４は抽斗３１又は抽斗３３によって目隠しされるので、使用者からは見えにくい。故に、パッキン４，４が無用に目立つことによってキャビネット１の美観が損なわれる虞はない。また、大型のパッキン４，４が抽斗３１，３３からの物品の出し入れを損なう虞はない。更に、抽斗３１，３３の陰に隠れている上に下向きに開放されている進入空間Ｓ２，Ｓ３には埃又は塵等が溜まり難い。
【００６８】
パッキン４の接触部４３は変形し易いが、被覆部４１及び支持部４２は変形し難いので、パッキン４の保形性は高い。
従って、パッキン４の前板３ａへの取り付けは容易である。また、十分な容積の進入空間Ｓ２，Ｓ３が確保される。更に、進入空間Ｓ２，Ｓ３の上部が確実に閉鎖される。
仮に、パッキン４が無用に変形すると、パッキン４を前板３ａに取り付けることが困難になる。又は、進入空間Ｓ２，Ｓ３が収縮して使用者の手が進入し難くなる。或いは、進入空間Ｓ２，Ｓ３の上部を閉鎖することができず、使用者の手が底板３ｂに接触する虞がある。
【００６９】
なお、パッキン４はチャンネル状に限定されない。
パッキン４の接触部４３は舌片状に限定されない。例えば、左右方向に長い棒状の接触部４３が支持部４２の後端部に取り付けられていてもよい。
舌片状の接触部４３支持部４２の後端部から真下に突出していてもよい。この場合の接触部４３は、パッキン４の支持部４２とキャビネット本体２との接触を防止すべく、抽斗３１（又は抽斗３３）がキャビネット本体２に退入した場合に支持部４２とキャビネット本体２との間に介在することが望ましい。
【００７０】
被覆部４１と支持部４２とはＬ字状に配されているが、これに限定されず、例えばＶ字状に配されていてもよい。支持部４２は、被覆部４１の上下方向中央部に突設されていても（即ち被覆部４１と支持部４２とがＴ字状に配されていても）よい。以上のような場合も、被覆部４１の後側且つ支持部４２の下側の空間が、進入空間として機能する。
接触部４３は支持部４２から下側に向けて突出しているが、これに限定されない。接触部４３は支持部４２から上側に向けて突出していてもよい。
【００７１】
本発明の実施の形態におけるパッキンは、前板の後面上端部を手掛け部として用いる場合に、キャビネット本体に退入した状態の抽斗の前板の後面上端部とキャビネット本体との隙間を閉塞するパッキンとして用いることも不可能ではない。この場合、パッキンは、上下逆向きにして前板の後面上端部に取り付けられる。
【００７２】
しかしながら、このように取り付けられたパッキンは、抽斗を引き出したときに悪目立ちし易い上に、抽斗に対する物品の出し入れを阻害する虞がある。しかも、パッキンに囲まれた進入空間に、埃又は塵等が溜まり易い。また、進入空間から底板までの距離が長いので、進入空間に入れられた使用者の手と底板とが接触する虞はない。つまり、前板の後面上端部に取り付けられるべきパッキンが支持部を有している利点はほとんどない。
【００７３】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
また、本発明の効果がある限りにおいて、キャビネット１に、実施の形態に開示されていない構成要素が含まれていてもよい。
【符号の説明】
【００７４】
１    キャビネット
２    キャビネット本体
３１，３３  抽斗
３ａ  前板
３ｂ  底板
４    パッキン
４１  被覆部
４２  支持部
４３  接触部
４４〜４６  係止部
【図１】
0006532252.tif 000002
【図２】
0006532252.tif 000003
【図３】
0006532252.tif 000004
【図４】
0006532252.tif 000005
【図５】
0006532252.tif 000006
【図６】
0006532252.tif 000007
【図７】
0006532252.tif 000008